(57)【要約】【課題】用紙連量によらず一定の冷却効果の得られ、且つスタッキング性能を損なわないスタッカを供給することである。【解決手段】折ミシン目つき連続紙を積み重ねるスタッカテーブルと、スタッカテーブルを上下方向に移動させるモータと、用紙の排出速度及び折ミシン目方向に合わせ揺動動作を行うスウィングフィンと、スタッカテーブル上に積み重ねられた用紙の高さを検出するハイトディテクトセンサと、用紙の連量を設定する手段を有するスタッカ装置において、前記ハイトディテクトセンサが用紙を検出してから前記スタッカテーブルを１回下降させる量を可変する。【選択図】図１
2005225625.tif 000002
【特許請求の範囲】
【請求項１】
折ミシン目つき連続紙を積み重ねるスタッカテーブルと、スタッカテーブルを上下方向に移動させるモータと、用紙の排出速度及び折ミシン目方向に合わせ揺動動作を行うスウィングフィンと、スタッカテーブル上に積み重ねられた用紙の高さを検出するハイトディテクトセンサと、用紙の連量を設定する手段を有するスタッカ装置において、
前記ハイトディテクトセンサが用紙を検出してから前記スタッカテーブルを１回下降させる量を可変することを特徴とする連続紙電子写真装置のスタッカ装置。
【請求項２】
用紙連量が大きい程スタッカテーブルを１回下降させる量が大きいことを特徴とする請求項１記載の連続紙電子写真装置のスタッカ装置
【発明の詳細な説明】
【技術分野】
【０００１】
本発明は連続紙電子写真装置のスタッカ装置に関するものである。
【背景技術】
【０００２】
はじめに従来の電子写真方式を用いたレーザビームプリンタの印刷プロセスの概要を図２を用いて説明する。
【０００３】
図２において、１はレーザビームプリンタであり、図示されていないコントローラからの印刷動作開始信号に基づいて感光ドラム３が矢印方向に回転を始める。感光ドラム３は、レーザビームプリンタ１の印刷速度に相当する速度で回転し、印刷動作が終了するまで回転を続ける。感光ドラム３が回転を開始すると、コロナ帯電器４に高電圧が印加され、感光ドラム３表面に例えば正の電荷が均一に帯電される。
【０００４】
回転多面鏡５は、レーザビームプリンタ１に電源が投入されると直ちに回転を開始し、電源が投入されている間、高精度に定速回転が維持される。半導体レーザや発光ダイオードなどで構成された光源６から出力したレーザビームは、回転多面鏡５で反射し、ｆθレンズ７を通じて感光ドラム３上を走査しながら照射する。
【０００５】
ドットイメージに変換された文字データや図形データがレーザビームのオン／オフ信号として図示されていないコントローラからレーザビームプリンタ１に送られると、感光ドラム３の表面にレーザビームが照射される部分と照射されない部分とが形成され、いわゆる静電潜像が形成される。この静電潜像を保持した感光ドラム領域が現像装置８と対向する位置に到達すると、静電潜像にトナーが供給され、レーザビームの照射により感光ドラム３上の電荷が消失した部分に、例えば正電荷に帯電したトナーが静電気により吸引されて感光ドラム３上にトナー像が形成される。
【０００６】
用紙ホッパ９に収納された連続した用紙１０は、用紙搬送トラクタ１１によって、感光ドラム３上に形成された印刷データのトナー像が転写位置に到達するタイミングと同期させて、感光ドラム３と転写器１２の間に向けて搬送される。
【０００７】
感光ドラム３上に形成されたトナー像は、用紙１０の背面側にトナー像と逆極性の電荷を付与する転写器１２の作用によって用紙１０上に吸引される。このようにして、用紙ホッパ９にセットされていた用紙１０は、用紙搬送トラクタ１１、転写器１２、用紙搬送トラクタ１１およびバッファプレート２４を経て定着装置２に搬送される。定着装置２に到達した用紙１０は、予備加熱板１３で予熱された後、ヒータランプ２５を備えた加熱ローラ１４と加圧ローラ１５からなる一対の定着ローラによって形成されるニップ部によって加熱加圧されながら挟持搬送され、トナー像が用紙１０に溶融定着される。
【０００８】
加熱ローラ１４と加圧ローラ１５によって送り出されてきた用紙１０は、用紙送出しローラ１６によってスタッカテーブル１９側へ送り出されるとともに、スイングフィン１７の揺動動作によってミシン目に沿って交互に折り分けられ、さらに、回転するパドル１８で折りたたみ状態が整えられながら、スタッカテーブル１９上に積み重ねられて行く。感光ドラム３の転写位置を通過した領域は、清掃装置２０で清掃され、次の印刷動作に備えられる。
【０００９】
なお、上述のバッファプレート２４は、用紙搬送トラクタ１１および定着ローラ１４,１５間で用紙搬送速度差が生じた場合に、用紙１０に発生するたるみ、あるいは張りを吸収するためのものである。
【００１０】
図２に示すように、用紙１０はヒートロール１４を通過した後スウィングフィン１７に入り、スウィングフィン１７によってスタッカ装置３０内のスタッカテーブル１９上に正確に折りたたまれる。スタッカテーブル１９は、用紙高さを検出するハイトディテクトセンサ２８があり、ハイトディテクトセンサ２８が一定以上の用紙高さに用紙１０が折り畳まれたことを検出すると図示されていないモータを駆動してスタッカテーブル１９を一定距離下降させる。これにより、スウィングフィン１７で折り畳まれる用紙の高さはあまり変動しないようになっている。また、スタッカ装置３０には、スタッカ装置３０に入った用紙を冷却するファン２６が取り付けられており、スウィングフィン１７によって折り分けられた後の用紙に風を吹きつけて冷却をする。スタッカ装置３０には用紙１０ジャムセンサが設置されていて用紙１０が通過するタイミングをセンスしている。用紙１０のスタッキング状態が異常となると用紙ジャムセンサを通過する用紙１０のタイミングが異常になり、用紙ジャムセンサは用紙折りたたみ状況の異常を検知してエラーを発生させ、それ以上用紙１０が損傷するのを防いでいる。
【００１１】
【特許文献１】特開２００３−９５５３１号公報
【発明の開示】
【発明が解決しようとする課題】
【００１２】
ところで、スタッカに入った用紙を冷却するためには、冷却ファン２６による風が効率よく用紙１０に当たることが必要であるが、スタッカテーブル１９のダウン量が一定の場合、連量の大きい用紙の場合にはスタッカテーブル１９の下降する間隔が少なく冷却風が用紙１０に当たる時間が短く、連量の小さい用紙の場合は、下降する間隔が長くなり、冷却風によって必要以上に用紙が舞い上がり、折り畳み性能を悪化させるという問題があった。
【００１３】
本発明の目的は、用紙連量によらず一定の冷却効果の得られ、且つスタッキング性能を損なわないスタッカを供給することである。
【課題を解決するための手段】
【００１４】
上記の目的は、折ミシン目つき連続紙を積み重ねるスタッカテーブルと、スタッカテーブルを上下方向に移動させるモータと、用紙の排出速度及び折ミシン目方向に合わせ揺動動作を行うスウィングフィンと、スタッカテーブル上に積み重ねられた用紙の高さを検出するハイトディテクトセンサと、用紙の連量を設定する手段を有するスタッカ装置において、前記ハイトディテクトセンサが用紙を検出してから前記スタッカテーブルを１回下降させる量を可変することにより達成される。
【発明の効果】
【００１５】
本発明によれば、用紙連量によりスタッカテーブル１９の下降量を可変するため、用紙連量が変わってもスタッカ内で用紙冷却性能を確保し、安定した折り畳み性能を得ることができる。
【発明を実施するための最良の形態】
【００１６】
冷却性能を満足する目的を、最小の部品点数で、折り畳み性能を損なわずに実現した。
【００１７】
図１は本発明になるスタッカテーブルの下降制御フローチャートである。図示されていないスタッカテーブル制御マイクロコンピュータは、印刷起動により用紙連量スイッチデータを読み込み、記憶する。印刷が開始した後、ハイトディテクトセンサ２８が規定時間ｔの間用紙１０を検出すると、マイクロコンピュータは、記憶した用紙連量スイッチデータにより定められた長さ分スタッカテーブル２８を降下させる。図２は、用紙連量スイッチデータとスタッカテーブル降下長さの関係を示す。例えば、用紙連量スイッチデータがＢであり、用紙連量が７１ｋｇ〜９０ｋｇの範囲にある用紙である場合、スタッカテーブル１回当たりの下降量はＬ２ｍｍとなるように制御する。
【図面の簡単な説明】
【００１８】
【図１】本発明の実施例を示すフローチャートである。
【図２】本発明の用紙連量スイッチデータとスタッカテーブル降下長さの関係を示す表である。
【図３】従来令例および本発明の連続紙電子写真装置の概略図である。
【符号の説明】
【００１９】
１…連続紙電子写真装置本体、１０…用紙、２８…ハイトディテクトセンサ、１９…スタッカテーブル、３０…スタッカ装置である。
【図１】
2005225625.tif 000003
【図２】
2005225625.tif 000004
【図３】
2005225625.tif 000005